(57)【特許請求の範囲】
【請求項１】
雷管の一端にある２次爆薬、雷管の他端に配置されている点火手段、およびこの手段からの添装薬への点火パルスを転換してこれを爆轟させる中間部の火工術的連鎖物からなり、添装薬を有するシェルからなる雷管であって、この連鎖物は周期律表の第２、４および13族の第３および第４周期から選択される金属燃料と、周期律表の第４および第６周期から選択される金属の酸化物の形をとる酸化剤とを含む点火薬からなり、この金属燃料は金属酸化物酸化剤の全量を還元するのに要する化学量論的な量に対して過剰に存在し、上記の点火薬は添装薬の上記２次爆薬を対流爆燃状態へと点火してこれを確実に爆轟させることの可能な圧縮された高温のガスを発生する上記雷管。
【請求項２】
金属燃料が金属酸化物酸化剤の金属より少くとも0.5ボルト電気陰性度が高い請求項１記載の雷管。
【請求項３】
金属燃料がAlおよびTiから選択される請求項１または２に記載の雷管。
【請求項４】
金属酸化物酸化剤が、Cr、Mn、Fe、Ni、Cu、Zn、Ba、ＷおよびBiから選択される金属を含む請求項１〜３のいずれか１項に記載の雷管。
【請求項５】
金属がMn、Fe、CuおよびBiから選択される請求項４記載の雷管。
【請求項６】
金属酸化物がMnO2、Fe2O3、Fe3O4、Cu2O、CuOおよびBi2O3から選択される請求項５記載の雷管。
【請求項７】
金属燃料−金属酸化物酸化剤の組み合わせがFe、BiまたはCuの酸化物と組み合わさったAlからなる請求項５記載の雷管。
【請求項８】
組み合わせがAl-Fe2O3、Al-Bi2O3またはAl-Cu2Oである請求項７記載の雷管。
【請求項９】
金属燃料−金属酸化物酸化剤の組み合わせが、Biの酸化物と組み合わさったTiからなる請求項５記載の雷管。
【請求項１０】
金属燃料の量が、金属酸化物酸化剤の全量を還元するのに必要な化学量論的なる量の１〜12倍である請求項１〜９のいずれか１項に記載の雷管。
【請求項１１】
金属燃料の量が化学量論的な必要量の1.1〜６倍である請求項１０記載の雷管。
【請求項１２】
金属燃料の量が化学量論的な必要量の1.5〜４倍である請求項１１記載の雷管。
【請求項１３】
重量百分率が点火薬組成物に基くものとし、金属燃料の百分率が10〜50wt％、また金属酸化物酸化剤の百分率が90〜50wt％である、請求項１〜１２のいずれか１項に記載の雷管。
【請求項１４】
金属燃料がAlでありまた金属酸化物酸化剤がCu2OまたはBi2O3であり、金属燃料の百分率が15〜35wt％でありまたこの酸化剤の百分率が65〜85wt％である請求項１３記載の雷管。
【請求項１５】
金属燃料がTiでありまた金属酸化物酸化剤がBi2O3であり、金属燃料の百分率が15〜25wt％でありまたこの酸化剤の百分率が75〜85wt％である請求項１３記載の雷管。
【請求項１６】
点火薬が、その燃焼速度が0.001〜50ｍ／秒であるような組成を有する、請求項１〜１５のいずれか１項に記載の雷管。
【請求項１７】
点火薬が、2000Ｋを越える理想的燃焼温度を有するような組成を有する、請求項１〜１６のいずれか１項に記載の雷管。
【請求項１８】
点火薬が、その実際的燃焼温度が理想的燃焼温度の70％を越えるような組成を有する請求項１７記載の雷管。
【請求項１９】
点火薬が金属および（または）酸化物の形の固体成分の添加剤を含有する、請求項１〜１８のいずれか１項に記載の雷管。
【請求項２０】
添加剤が点火薬の重量に基き２〜30wt％の量存在する請求項１９記載の雷管。
【請求項２１】
添加剤が、金属燃料と金属酸化物酸化剤との反応生成物でもある化合物である、請求項１９または２０に記載の雷管。
【請求項２２】
添加剤が粒状の金属である、請求項１９または２０に記載の雷管。
【請求項２３】
金属が点火薬の反応温度で固体である請求項２２記載の雷管。
【請求項２４】
酸化物がAl、Si、Zn、Fe、Tiの各酸化物およびこれらの混合物から選択される、請求項１９〜２１のいずれか１項に記載の雷管。
【請求項２５】
酸化物が酸化アルミニウム、酸化硅素またはこれらの混合物である請求項２４記載の雷管。
【請求項２６】
酸化物が酸化鉄である請求項２４記載の雷管。
【請求項２７】
金属がＷ、Ti、Niそしてこれらの混合物および合金から選択される、請求項１９〜２３のいずれか１項に記載の雷管。
【請求項２８】
金属がＷあるいはＷとFeとの混合物または合金である請求項２７記載の雷管。
【請求項２９】
点火薬が圧縮されそして２次爆薬と接触するように置かれる請求項１〜２８のいずれか１項に記載の雷管。
【請求項３０】
添装薬の前方の火工術的連鎖物中に位置して、点火薬が推移区画内の２次爆薬と接触するように置かれ、２次爆薬が閉じ込め物によって包囲されている請求項２９記載の雷管。
【請求項３１】
点火薬も閉じ込め物内に置かれている請求項３０記載の雷管。
【請求項３２】
点火薬に最も近接する２次爆薬の密度が、その結晶密度の60〜100％である請求項２９〜３１のいずれか１項に記載の雷管。
【請求項３３】
点火薬に最も近接する２次爆薬の密度が、その結晶密度の40〜90％である請求項３２記載の雷管。
【請求項３４】
推移区画内の２次爆薬が、別な２次爆薬に向けて衝撃体ディスクを推進することによりこれを爆轟させるための供与体装薬である請求項３０〜３３のいずれか１項に記載の雷管。
【請求項３５】
推移区画内の２次爆薬が、別な２次爆薬に向けて、通路を通じて衝撃体ディスクを推進することによりこれを爆轟させるための供与体装薬である、請求項３０〜３３のいずれか１項に記載の雷管。
【請求項３６】
推移装薬中の２次爆薬が、爆燃から爆轟への推移の連鎖物の第１の部分であり、この連鎖物が、第１の部分におけるものより密度の低い別な２次爆薬を含む第２の部分を包含することを特徴とする請求項３０〜３３のいずれか１項に記載の雷管。
【請求項３７】
添装薬が２次爆薬のみである、請求項１〜３６のいずれか１項に記載の雷管。
【請求項３８】
２次爆薬がペンタエリスリトールテトラナイトレート（PETN）、トリニトロフェニルメチルニトラミン（Tetryl）およびトリニトロトルエン（TNT）から選択される請求項１〜３７のいずれか１項に記載の雷管。
【請求項３９】
２次爆薬からなる装薬を点火して２次爆薬を爆轟させるための、請求項１〜２９のいずれか１項に記載の点火薬の使用。
【発明の詳細な説明】
技術分野
本発明はシェルの一端に配置されている２次爆薬、シェルの他端に配置されている点火手段、およびこの手段からの点火パルスを添装薬の爆轟へと転換することのできる火工術的連鎖物のある中間的部分からなり、添装薬を有するシェルからなる種類の雷管の技術に関する。一層特定的に本発明はこのような雷管内で点火薬として使用すべき、そして一般の２次爆薬の点火のための火工品装薬の新規な組成物に関する。
発明の背景
雷管は軍事目的および民生用目的の双方について様々な目的で使用されるが、本明細書では商業的な岩石の爆破への応用を主としてこれを記述する。この場合典型的に内部時間遅れの異なる組み合わせの多数の雷管が、電気的または非電気的な信号線のネットワーク上に連結される。
このような雷管では、点火手段または信号手段からの点火パルスを添装薬での爆轟へと転換する火工術的連鎖物における種々の目的のために、火工品装薬が、例えば迅速伝火薬または増強用装薬、より緩浸な延時薬、ガス不透過性の密封用装薬、または添装薬を爆轟させるための点火薬として使用されてよい。
火工術的連鎖物中の火工品装薬の一例は、US−A−2,185,371中に記載があり、それには特定の燃料としてアンチモニー合金を含む延時薬が開示されている。他の例はGB−A−2 146 014およびDE−A−2 413 093中に記載があり、それらにはコンジットを隔てるための火工品燃料組成物および爆薬混合物がそれぞれ開示されている。火工品装薬の製造法の例としては、延時薬および点火薬の製造を開示しているEP O 310 580が参考になる。
しかしながらこれらの先行技術について共通するのは、それが２次的爆発性装薬を定量的にかつ確実に爆轟させるために本発明者の特定的な点火薬を開示していないどころか示唆もしていない点である。
火工術的連鎖物の構成物に対する要求は常に増している。主要な要求は装薬が十分に明確化されそして安定である反応速度で燃焼し、しかも時間的なばらつきが限定されているべきことである。燃焼速度は周囲条件または老化によって顕著に影響されてはならない。装薬は再現性のある点火特性を有すべきであるが、それでもなお衝撃、振動、摩擦および放電に対する感受性があってはならない。予定燃焼速度は装薬の僅少な変性によって調整されるべきである。装薬混合物は調合し、装填量を決めそして圧入するのが容易かつ安全でなければならずまた製造条件に対する感受性が高すぎてはならない。これに加えて、装薬は毒性物質を含有してはならずそして溶媒の使用といった健康にとって危険な状況を伴わずに調合できることがますます要求されている。
一般的な火工品装薬は燃料と酸化剤との混合物とみなすことができ、従って潜在的には、多くの組成物が利用可能であるべきだが、上記した諸要求が一緒になると、前述の諸装薬のそれぞれについて好適な組成物を選定するのは著しく制約される。しかしながら、性能に関して、また、目的からして従来確定されている化合物例えば鉛またはクロム酸塩の化合物の利用可能性および許容性が低下しつつあるので、一層の改良が必要である。
本発明に関する一般的説明
本発明の主たる目的は上記した点につき改善された性能および特性をそえた雷管、およびその内部で有用な火工品装薬を提供することである。
一層特定的な目的は、２次爆薬を定性的にかつ確実に点火する能力を有する火工術的連鎖物（pyrotechnical train）の雷管を提供することである。
別な目的は燃焼速度、老化ならびに製造、保管および使用における環境からの影響に関して特性の安定した雷管を提供することである。
別な目的は信頼できる特性を有するが、なお意図しない起爆に対して安全である上記のような雷管を提供することである。
別な目的はこういった雷管を健康への危険がより少ない成分を用いて提供することである。
さらに別な目的はこういった雷管の提供により安全で環境に無害な状態を可能にすることである。
なお別な目的は、２次爆薬とともに１次爆薬が何ら存在しなくてさえ、一般の２次爆薬を点火するために火工品装薬の使用を提案することである。
これらの目的は付属する請求の範囲に記載される特徴によて達せられる。
すなわち、本発明によると、金属燃料と金属酸化物たる酸化剤との特定の組み合わせが、特に、本明細書の冒頭に規定した型の雷管内で、また１次爆薬が存在しない場合でさえ、２次爆薬を定量的にかつ確実に点火する能力を有することが図らずも見出された。
以上に関連するが、定性的（qualitative）点火あるいはそれに類する点火とは、燃焼面が平面である層流燃焼は何ら伴なわず、燃焼が極度に不均一である対流燃焼段階を伴う、２次爆薬の点火を意味する。
これとともに発見された極めて重要なことは、上記の燃焼機構にもかかわらず、２次爆薬の極めて確実な点火が得られ、火工品連鎖物の残余の機能へのマイナスの影響がないことである。
さらに、達成される定性的点火では、雷管の爆轟への進展を（爆燃から爆轟までの時間を）かなり短縮でき、次いでこのことは火工術的連鎖物のまたは起爆エレメントの長さをかなり短縮しそして（あるいは）シェルの強度または厚さを減少するのを可能とし、しかも雷管の機能を何ら損なわない。
反応機構に関して何らかの理論に限定されずに、本発明は、新規な点火薬によって、熱容量が大きくそして高圧下にある極度に高温のガスが点火されることに基づくように思われる。おそらく点火ガスは点火薬中にある金属からの蒸気から本質的になる。このガスの特性のみが２次爆薬の定性的点火を確保すると思われる。
一層特定的に本発明は、雷管の一端にある２次爆薬、雷管の他端に配置されている点火手段、およびこの手段からの添装薬への点火パルスを転換してこれを爆轟させる中間部の火工術的連鎖物からなる雷管であって、この連鎖物は周期律表の第２、４および13族から選択される金属燃料と、周期律表の第４および６周期から選択される金属の酸化物の形をとる酸化物とを含む点火薬からなり、この金属燃料は金属酸化物酸化剤の全量を還元するのに要する化学量論的な量に対して過剰に存在し、上記の点火薬は添装薬の上記２次爆薬を対流爆燃状態へと点火してこれを確実に爆轟させることの可能な圧縮された高温のガスを発生する上記雷管に関する。
従って、発熱のもとで金属／酸化物系の「転移」（inversion）により反応し、またテルミット火薬と考えることのできる上記に規定した点火薬の使用により前記の目的が果される。金属は反応の前、その最中および反応後に存在し、高い導電性と伝熱性とが確保される。導電性は静電気または他の電気的撹乱による意図しない点火の危険が低減することを意味する。高い伝熱性は摩擦、衝撃、またはその他による局部過熱を通じて意図せずに点火する危険が低い一方、大きくかつ持続的な伝熱によって、反応した添装薬からの点火特性が確実に良好となることを意味する。反応生成物中に融解金属が存在することで、点火特性が増強される。金属酸化物は水の存在下でも一般に安定な生成物であり、また金属はしばしば表面の不動態化のために安定である。不動態化は老化特性を良好にしまた水懸濁液中での装薬の調合を可能とし、また湿分の存在下で認められる反応速度の不変性もおそらく不動態化によって説明される。テルミット火薬の反応体は一般に非毒性でありまた環境に対して有害でない。テルミット火薬の貴重な別な特質は上記したようにそれがかなりの発熱下で反応し、このことが良好な点火特性に寄与するのみならず、一層重要なことに、反応が初期温度条件から独立であることを部分的原因とする反応時間のばらつきが限定されることに寄与する。
雷管の設計への応用においては、装薬が異なる目的のために使用できかついくつかの要求を同時に満足することが特に有益である。本発明で点火薬として使用される装薬はガス状中間体を豊富に生成する反応特性を利用する急速燃焼伝火薬として使用でき、多孔性の装薬中での高い点火速度および反応速度が与えられる。この装薬は、様々な条件下での装薬安定性、安定な燃焼速度および不活性添加剤の添加による燃焼速度の可変性を活用して、火工術的遅延のために使用することができる。この装薬は融解金属反応生成物の優れたスラグ形成特性を活用して、ガスの透過を制御するために密封用装薬として使用でき、この特性は強化物質または充填物質を添加することによって一層改善されうる。最後に、本発明に従うと、高温および後方密封性を含め、組成物の強力な起爆能力を全範囲で利用して、この爆轟にとって必要な極めて急速かつ確実な点火面を確立することによって、この装薬は、主として、非１次爆薬型雷管中で、２次爆薬のための点火薬としても使用できる。
本発明の別な目的及び利点は以下の詳述から明白となろう。
発明の詳述
多く火工品組成物は酸化還元物の組を含有し、この中では還元剤と酸化剤とが発熱下で反応できる。しかし本発明の特徴は還元剤もしくは燃料は金属であり、酸化剤は金属酸化物でありまた酸化還元物の組はもともとの金属燃料の酸化およびもともとの金属酸化物酸化剤の金属への還元の下で反応できるテルミットの組であることである。
反応の際に発生する熱は、金属最終生成物の少なくとも一部そして望ましくは全部を融解した形にしておくのに十分であるべきである。この熱は、不活性充填材、または別な反応性の火工術的な系の反応体または成分の余剰分のように系に添加される他の成分をすべて融解するのに十分である必要はない。本質において、この反応ではもともとの金属燃料が酸化物の金属とおき代わる。このことは金属／酸化物系の「転移」として述べることができる。これが起きるためには、金属燃料は酸素との親和力が酸化物の金属より大きくなければならない。従って、精細な条件を示すのは困難であるが、一般的に示すとし、元素状金属への原子価の実際的変化に対応する反応を考慮する電気化学的系列において、金属燃料は金属酸化物の金属より少なくとも0.5ボルト、望ましくは少なくとも0.75ボルト、そして一層望ましくは少なくとも１ボルト電気陰性度がより高くなければならない。
従って、本発明によると金属燃料は周期律表の２、４および13族から選択される。この関係からすると、周期律表において族および周期（下記参照）と称されるのは下記に示す周期律表によって規定される族および周期である。
0004098829.tif 000002
換言すると、金属燃料がそれから選択される第２族は、特にBe、Mg、Ca、SrおよびBaという金属を含み、また第４族はTi、ZrおよびHfという金属を含みまた第13族はAl、Ga、InおよびTlを含む。
しかしながら金属燃料は第２、４および13族の第３および４周期から選択され、これはMg、Al、Ca、TiおよびGaを意味する。一層好ましくはこの燃料はAlおよびTi金属から選択される。
金属酸化物酸化剤の金属は、すでに前述したように、周期律表の第４および６周期から選択され、第４周期にはＫ、Ca、Sc、Ti、Ｖ、Cr、Mn、Fe、Co、Ni、CuおよびZnが含まれ、また第６周期にはCs、Ba、La、Hf、Ta、Ｗ、Re、Os、Ir、Pt、Au、Hg、Tl、Pb、BiおよびPoが含まれる。
しかしこの第４周期の好ましい金属はCr、Mn、Fe、Ni、CuおよびZnでありそして特に好ましいのはMn、FeおよびCuである。
上記第６周期の好ましい金属はBa、ＷおよびBiであり、特に好ましいのはBiである。
この関係から特に好ましい酸化物はFe2O3、Fe3O4、Cu2O、CuO、Bi2O3およびMnO2である。
上記に示したように、本発明の点火薬は、極めて高い燃焼温度を生むことのできるテルミット火薬である。燃焼温度の一指標としては、取り上げられた装薬中に実際に存在する密度および濃度の条件の下で機械的および熱的に隔離された系内に存在する反応体の間での最終的平衡に至る反応における理論計算上の最終温度が使用されてよい。この指標は装薬の燃焼速度、ガスの透過性および隔離とは無関係であり、また以下では「理想的」装薬燃焼温度と称される。
理想的な燃焼温度は急速な燃焼速度を有する装薬に関する実際の燃焼温度、低いガス透過性、大きな物理的寸法、または他の点で少ない周囲への損失に関する近似として役立つであろう。最後に挙げた条件を近似的に満足するとはいえない装薬については、測定によって「実際的」燃焼温度を決定すべきである。これは例えば、装薬中に熱電対を挿入することにより、透明な物質中で反応される時の装薬からの放射スペクトルあるいは装薬中にまたは別な仕方でおかれた光学繊維からの放射スペクトルを記録することによって実施できる。装薬の燃焼温度が一つの要因である場合、理想的な燃焼温度は2000Ｋを越え、望ましくは2300Ｋを越えそして最も望ましくは2600Ｋを越えるべきである。装薬の組成および形状は、ケルビン温度で表される理想的燃焼温度の60％を越え、望ましくは70％を越えそして最も望ましくは80％を越える実際的燃焼温度が得られるように設計するのが望ましい。
雷管用の火工品装薬は雷管中に本質的に閉じ込められておりまた全般的な反応は、雷管の構造体を破裂させないように実質的にガス非含有であることが一般的な要請である。反応体および生成物の双方として金属と金属酸化物との組からなる本組成物は全般的反応に関するガス非含有条件を極めて良く満足する。
しかしながら、前述したように本組成物の良好な燃焼上の特徴および点火特性は、類似する別な組成物中には存在しないガス状中間体の生成に本質的に基く。金属燃料のかなり近い沸点と組合わさった高い反応温度に少なくとも部分的に基いて、上述した条件に合致させることで金属燃料の一時的な蒸気中間体が発生すると考えられる。
この効果は、容易に蒸発可能な他の成分を添加することにより増強することができるが、ただしこの目的のための好ましい方法は過剰の金属燃料を使用することであり、この組成物のタイプは「ガス増強」組成物とも称される。量が過大だと組成物が冷却しそしてガスの生成を妨げる。従ってこのような組成物では金属燃料の量は、一般に、金属酸化物酸化剤の量を減少するのに化学量論的に必要な量の１倍より多くそして12倍より少なく、上限は一層好ましくはこの化学量論的要求量の６倍でありそして最も好ましくは４倍である。本発明の好ましい他の一態様によると、金属燃料の量は上記の量の1.1〜６倍でありまた一層望ましくは金属燃料の量は上記の量の1.5〜４倍である。
点火薬組成物の全重量に基く百分率として表すと、金属燃料は一般に10〜50wt％、望ましくは15〜35wt％そして一層望ましくは15〜25wt％の量存在する。従って金属酸化物酸化剤の対応する百分率は90〜50wt％、望ましくは85〜65wt％そして一層望ましくは75〜65wt％である。
本発明の好ましい一態様によると、金属燃料はAlであり、そして金属酸化物酸化剤はCu2OまたはBi2O3であり、この燃料の百分率は15〜35wt％でありまたこの酸化剤は65〜85wt％である。
本発明の別な態様によると、金属燃料はTiでありまた金属酸化物酸化剤はBi2O3であり、燃料の百分率は15〜25wt％、望ましくは約20wt％であり、そして酸化剤の百分率は75〜85wt％、望ましくは約20wt％である。
いくつかの理由から、例えば組成物の燃焼速度に影響を与え、静電気火花に対する組成物の感受性を減少しあるいはスラグ特性に作用するために、若干不活性であるかあるいは活性的でさえある固体成分を組成物に含めるのが好ましい。やはり反応の生成物たる化合物である不活性の固体成分を使用することは、系の特性を変化させずまた上記した蒸気中間体の生成を減少しないために有益である。しかしながら例えば、過大に冷却せずに反応速度を減少するために金属酸化物を添加するのが好ましい。この金属酸化物は使用する実際の系の最終生成物であってよいが、別な金属酸化物例えば前記に規定した他の転移系からの最終生成物を添加することも可能である。この点から特性に好ましい酸化物はAl、Si、Fe、Zn、Tiの酸化物またはこれらの混合物である。強力なスラグに対して寄与する事柄は他にもあるが不活性な固体成分は、粒状金属であってもよい。以下、このような組成物は「金属で強化された」と称する。最終生成物の金属は金属で強化された組成物中での添加剤としてそのまま使用されてよい。反応で生成される最終生成物の金属は通常は融解された形でありまたこの添加により、強力であるとともに不透過性であるスラグを生成するのに好適な融解した金属と融解していない金属との混合物が例えば得られる。
金属が装薬の反応温度において固体であるならば、最終的生成物とは異なりそして融解温度がより高い固体金属を例えば添加することにより、この部分的な融解と比較して一層良い制御が得られる。このような金属はいずれも使用できるが、特に好ましい金属はTi、Ni、MnおよびＷあるいはこれらの混合物または合金であり、そして特にＷあるいはＷとFeとの混合物または合金からなる。
上記に言及した金属および（または）金属酸化物は、一つまたはそれ以上の火工品装薬、特に点火薬の重量に基き２〜30wt％、望ましくは４〜20wt％例えば６〜10wt％の量が一般に使用される。
普通の実施手順ではあるが、バインダー添加剤の自由流動性または圧縮特性を例えば改善するために、火工術的添加剤以外の別な添加剤が含められてもよいし、または凝集を改善しあるいは顆粒状化を可能とするために例えば粘土物質またはカルボキシメチルセルロースもまた混合物中に含められてもよい。上記の目的のための添加剤は、特にそれが永久ガスを発生するならば、一般に少ない量、例えば、火工品装薬、特に点火薬の重量に基いて４wt％より少なく、望ましくは２wt％より少なくそしてしばしば１wt％より少なくさえある量が一般に用いられる。
点火薬および他の任意の火工品装薬は通常の方法では粉末の混合物であるのが好ましい。燃焼温度に影響を与えるために粒子的寸法の使用が可能でありまたこの寸法は一般に0.01〜100ミクロンそして特に0.1〜10ミクロンであってよい。装荷量を決めそして圧入するのを容易にするために粉末は例えば0.1〜２ミリまたは望ましくは0.2〜0.8ミリの寸法にまで望ましくは顆粒状化されることができる。顆粒は、少なくとも酸化還元物の組の成分の混合物からつくられるのが好ましい。
本組成物は乾燥状態での非意図的な起爆に対する感受性が比較的ないが、組成物を液相中で、望ましくは水性媒体中でまたは本質的に純粋な水中で混合しそして調合するのが好ましい。混合物は慣用的方法により液相から顆粒化されることができる。
点火薬燃焼速度は広い範囲内で変更されてよいが、一般にこの速度は0.001〜50ｍ／秒、特に0.005〜10ｍ／秒にわたる。50ｍ／秒を越える、特に100ｍ／秒を越える燃焼速度は雷管への応用にとって不適当であるか典型的でない装薬の状態を必然的結果として通常伴う。前記に示したように、燃焼速度はいくつかの方法で、すなわち酸化還元系の選定、反応体間の化学量論的バランス、不活性添加剤の使用、装薬の粒子寸法および圧縮密度によって影響をうける可能性がある。
装薬は、圧密化が全くなされてない形から高度に圧縮された形まで使用されうるので、圧縮密度に関する一般的限界は設定できない。しかしながら本発明の目的のための装薬として適当と認めるには、圧縮を可能とするように十分な量の組成物を使用すべきである。つまり顆粒の少なくとも１次粒子に対する顆粒化された物質の関係の場合、装薬の三つの寸法すべてにおいて、伸びの程度は粒子寸法の数倍大きくそして望ましくは多数倍大きくなければならない。
最初に述べたように、上記した点火薬は２次爆薬を点火する火工術的な目的に一般に使用できるが、主として商業的な爆破に応用するための雷管内で特別な価値を有する。上述したように、このような雷管は、一端に配置された２次爆薬、他端に配置された点火手段、およびこの手段からの点火パルスを添装薬の爆轟へと転換できる火工術的連鎖物のある中間的部分または中間区画を含むあるいはこれからなる添装薬を有するシェルからなる。
点火手段は電気的に起爆するヒューズヘッド、安全ヒューズ、穏和な爆発コード、低エネルギー衝撃管（例えばNONEL、登録商標）、爆発ワイアーまたはフィルム、例えばファイバーオプティクス、電子的手段などによって伝達されるレーザーパルスのような既知の任意の種類であってよい。本装薬を点火するために、発熱的点火手段が好ましい。
火工術的連鎖物には、典型的に、実質的に円筒状であるエレメント内に納められている筒状物の形をした延時薬が含まれる。この連鎖物には燃焼を増進しあるいは機能の鈍い装薬の点火を助けるために伝火薬も含んでよくまたガスの透過性を制御するための密封用装薬をさらに含んでよい。連鎖物の最後の部分は、火工品装薬内での主として熱を発生する燃焼を、添装薬の衝撃および爆轟に変換をする手段をなす。
従来これは、爆轟される２次爆薬に隣りあうように少量の１次爆薬を含ませることによって行われている。１次爆薬は熱衝撃または穏和な衝撃にさらされる時、急速かつ確実に爆轟する。しかしながら、最近の開発によると、商業的な非１次爆薬型の雷管（以下「NPED」という）を設計することができ、この雷管では、２次爆薬内での爆轟を直接発生するために、１次爆薬が以下にさらに論じるある種の機構で代替される。
上述した組成物は弱い燃焼パルスを捕えそして増巾するためのあるいは機能の一層鈍い組成物の点火を助けるための急速な伝火薬としても使用できる。この組成物は燃焼速度が高くまた時間的ばらつきが少ないこと、小さな圧力依存性、起爆の容易さ、意図しない起爆および他の装薬に対する点火能力のおかげで、この目的にとって好適である。本組成物はすでに規定したようにガスで増強されるのが好ましい。火工術的連鎖物においては、上記の装薬は点火手段からの点火パルスを火工術的連鎖物の後続する部分に伝達するために、点火手段の個所に配置されている伝火薬を構成しあるいはそれの一部であるのが好ましい。反応速度および点火感受性を維持するために、装薬の多孔性は高くまた圧縮密度は低くなければならない。装薬の密度は100MPaより小さくそして一層望ましくは10MPaより小さい圧縮力に対応するのが好ましくまた実質的に圧縮されていない装薬を使用することができる。装薬は顆粒化された物質を含むのが好ましくまた装薬に最大の多孔性を付与するのに十分な力で圧縮されるのが好ましい。
この関係からすると、装薬の燃焼速度は0.1ｍ／秒より大きくてよくまた１ｍ／秒であるのが好ましい。この目的には少量の装薬のみが必要でありまた装薬の量は上記の伝火薬内での１ミリ秒より短くまた望ましくは0.5ミリ秒より短い遅延時間を与えるのに十分少ないのが好ましい。
点火手段の個所には通常そして望ましくは別な装薬がないが、伝火薬またはそのための不活性の包封体は点火手段に直接向かいあっている。装薬と、エアーギャップを橋渡しすることのできる、ヒューズヘッドまたは衝撃管のような点火手段との間にはエアーギャップがあってよく、これによって製造が容易になる。点火手段は装薬中に埋め込まれてもよく、点火パレスを捕らえるのが助けられる。後者の場合、本組成物の導電的性質のため火花、ヒューズブリッジあるいは装薬そのものを通じての伝導からの直接的な点火が可能となり、点火過程が確実になるかあるいはヒューズヘッドのない電気的ギャップのような単純な点火手段の使用が可能となるので、電気的点火手段と組み合わせると特別な有利性が実現できる。
伝火薬の他端は火工術的な連鎖物中の他の任意の装薬、最も普通にはおそらく別な装薬が介在する延時薬に向かいあってよい。
上述した組成物を含む装薬は、他の要因もあるが特に、確実でかつ再現性のある燃焼速度、外部条件への依存性の低さ、速度の可変性および製造の容易さを活用すると、延時薬を構成することもできあるいはその一部であってよい。
延時薬は、通常粉末の嵩密度より大きい密度まで圧縮されまた装薬の密度は10MPaより大きいそして一層好ましくは100MPaより大きい圧縮力に対応するのが好ましい。装薬は１ｇ／ccを越えまた望ましくは1.5ｇ／ccを越える密度を有してよい。遅延の目的から、組成物は大きすぎる反応速度を有すべきでなくまた装薬の燃焼速度は１ｍ／秒より小さくそして一層望ましくは0.3ｍ／秒より小さいのが好ましい。一般にこの速度は0.001ｍ／秒より大きくまた望ましくは0.005ｍ／秒より大きい。装薬の量は、上記の延時薬で、１ミリ秒より長いそして望ましくは５ミ秒より長い遅延時間を与えるのに十分に大きいのが好適である。
燃焼速度を増大するのに好ましい方法は上記に規定したようなガスで増強された組成物を使用することでありまた燃焼速度を減少するのに好ましい方法は充填材、望ましくは反応の最終生成物そして望ましくは金属酸化物を添加することであるが、燃焼速度は規定された任意の一般的方法によって影響されてよい。酸化アルミニウムおよび酸化硅素は実際に使用する転移系から独立した有用な充填材であることが判っている。充填材の量は反応性成分の10wt％〜1000wt％の範囲内であってよいが、20〜100wt％の範囲内にあるのが好ましい。
延時薬の速度を減少する別な方法は燃料として半金属、特に硅素を選定することである。
延時薬は雷管のシェル内で火工術的連鎖物の後続する装薬に対して直接押圧されることができ、この解決法は小さい装薬および短い遅延の場合好ましい。よい大きい装薬の場合、延時薬は常套的方法に従ってシェル内におかれたエレメント内に包封されることができる。延時組成物の筒は一回の操作で圧縮されうるが、より長い筒の場合は、しばしば少しずつ圧縮される。典型的な装薬の長さは１〜100mm、特に２〜50mmである。
NPED型の構造の場合、上流にある２次爆薬は別個のシェルまたはエレメント内に通常閉じ込められまたこの際、第三の可能性は全体の延時薬の一部を同一の閉じ込め物内におくことである。
延時薬の上流端には、燃焼速度の安定性をさらに改善するためにガスおよび装薬粒子の逆流を制限するための手段、望ましくはスラグ形成用装薬そして最も望ましくは、例えば本明細書中に記載する組成物を有する密封用装薬が装着されてよい。
延時装薬の他端は火工術的連鎖物の任意の別な装薬に向かいあってよいが、おそらくは少量の別な装薬を介して第１のまたは第２の装薬と接触してもよい。第１の爆薬は延時薬により容易に爆轟されることができまたこれによって第２の爆薬が点火され、後者の場合、密封用装薬または点火薬上で点火されるのが好ましい。
上述した組成物は、密封用装薬を構成するあるいはその一部である装薬内で使用されてよく、装薬の反応の後のガスの通過が遅延または防止される。密封用装薬は機械的に強くもなければならない。火工品装薬中での反応のの挙動はガス圧力に著しく依存しまた再現性のある燃焼は制御された圧力の上昇および圧力の維持に依存する。ガス非含有の組成物でさえ、ガス状中間体によるまたは装薬の細孔中に存在するガスの加熱による圧力上昇およびありうるガスの逆流を示す。圧縮された粉末の装薬の結合の緊密さもまた制限されまた圧力によって中断が起きるであろう。
この密封用装薬は良好なスラグ形成特性と密封特性を有し、これらの特性は強化用添加剤によって一層改善されることができる。これらの目的には、かなり大きい装薬密度を用いるのが好都合である。装薬密度は10MPaより大きいそして一層望ましくは100MPaより大きい圧縮力に対応するのが好ましい。実際の単位では、圧縮された密封用装薬は1.5ｇ／ccより大きく、そして望ましくは２ｇ／ccより大きい密度を有してよい。この装薬は望ましくは0.01ｍ／秒より大きいそして一層望ましくは0.1ｍ／秒より大きい、中位の燃焼速度を有する傾向があるが、速度はしばしば１ｍ／秒より小さい。
純粋に密封する目的で使用する場合、上記の装薬は通常少量に保たれまたしばしば、この密封用装薬中での遅延時間を１秒より短く、またしばしば100ミリ秒より短くするのに十分に少量である。
密封用装薬として使用する場合、本組成物は特に透過性を低下するために、例えばすでに規定した金属で強化された組成物として不活性の充填材を一般に含有するが、生成されるスラグが機械的に強いとともに著しくガスの透過性がないので、こういった選択はすでに示したのと同様である。この場合、金属と反応体と金属酸化物反応体との間の化学量論的バランスは、充填材は差異をならす傾向があるので、重要性はより低く、また例えば燃焼速度を調整するために、バランスを上回った組成物および下回った組成物を所望なら使用することができる。しかしながらガス増強された組成物に対応する化学量論的バランスが一般に好ましい。充填材の量は広い範囲内で変化されてよいが、一つの指摘として、充填材の量は20〜80容積％そして望ましくは30〜70容積％である。
密封効果または強化効果が望ましい場合はつねに、雷管内に密封用装薬が使用できる。重要な応用は延時薬を逆流に対して密封し、それによって延時薬の燃焼特性を安定化することである。このため密封用装薬は火工術的連鎖物内で延時薬の前方に位置すべきである。密封用装薬と延時薬との間には別な火工品装薬が存在してよいが、密封用装薬はその良好な点火性能のため延時薬と直に接触するように位置されてよい。ここに記載するような延時薬は特別な価値を有するが、任意の延時薬が使用できる。延時薬が特別なエレメントまたはシェル内に納められる場合、密封用装薬を同じ構造に圧縮するのが好適であるが、必要とはいえない。
本発明の重要な態様はNPED型の雷管である。すなわち、この場合、１次爆薬はなく、２次爆薬のみがある。この場合特許請求する新規な装薬はガスの圧力および逆流に対して密封するために密封用装薬としても作用する。このような雷管では、瞬時に爆轟へと推移するために２次爆薬が点火される。この場合、急速な点火、少ないガス損失および当該領域の構造的一体性の維持が決定的に重要である。このため点火薬（および密封用装薬）は２次爆薬の直前にまたは隣り合って位置すべきである。この装薬は２次爆薬のために使用するのに十分に良好な点火特性を有するが、ただし別な装薬、望ましくはここに記載するような諸装薬がこれらの間に挿入されてよい。点火すべき２次爆薬は通常、閉じ込め物内に収納される。点火薬は次いでこの閉じ込め物の外部に置かれてよいが、この装薬の少なくともいくらかそして望ましくはすべてが閉じ込め物内に配列されるのが有利である。
雷管内での一般的効用を高めそして製造を単純化するために、この装薬は、雷管のシェルの内側に適合する直径を有するのが適当なこの装薬専用のエレメント内に圧入されてよい。
従って、本発明の新規な装薬は、２次爆薬を燃焼状態または爆燃状態へと点火する能力を有する点火薬を構成しあるいはその一部である。こういった２次爆薬の点火を主として用いるのは、１次爆薬を欠くために、２次爆薬を爆轟へと直接に推移させる機構を付与するのが必要となるNPED型の雷管においてである。
NPED型雷管は、敏感な１次爆薬の製造時でのあらゆる取扱およびこういった爆薬を利用する雷管の使用に固有な安全問題を避けるために開発されている。特別な配置および推移機構が必要である岩石の爆破のために商業的な雷管にNPEDの原理の応用を試みる時、困難が生じている。
点火手段に瞬間的な高電流が供給されると、爆発ワイヤー型または爆発フィルム型の点火手段例えばFR 2 242 899によるものは、第２の爆薬内での爆轟を直接引き起こすのに十分な大きさの衝撃を発生することができる。この点火手段は、先進的な爆破機が必要なためまたこの手段は普通の火工技術的遅延と両立しないので商業的応用に向いていない。
適当な条件下では、第２の爆薬は爆燃から爆轟への推移（DDT）を起こすことができる。この条件は商用の雷管として受け容れられることのできるより一層厳重な閉じ込めおよび一層多い量の爆薬を通常必要とする。これの例はUS 3 212 439中に開示されている。
米国特許明細書第3,978,791号、第4,144,814号および第4,239,004号中で例示される別なNPED型では、爆薬受容装薬の爆轟を惹起するのに十分な速度を有する２次爆薬の受容装薬を打画するために、衝撃ディスクを加速する起爆されそして爆燃する供与用２次爆薬が使用される。関連する力に抵抗するために、この構造は大型であり、機械的に扱いにくくそして完全には信頼できない。類似の構造はWO 90／07689中に開示されている。
特許明細書US 4,727,808およびUS 5,365,098にはＤＤＴ機構を基礎とする別なNPED型を記載している。構造は慣用の点火手段のほとんどによる点火を可能とし、慣用の雷管キャップ装置の使用によって製造されることができ、通常の雷管シェル内に収納されることができまた２次爆薬をほんの軽く閉じ込めることで確実に爆轟されることができる。しかしながら起爆の信頼性は、推移が起きるように計画されている、爆薬のある種の設計または分割に依存する。
既知のNPED設計に関する一般的問題は、確実な点火と満足な時間的精度との双方を得るのに十分に急速な爆轟への推移を達成することおよびこれを普通の火工品装薬と組み合わせて実施することである。NPED型雷管では、２次爆薬の系列において速度が極めて重要である。雷管の構造体が反応していく爆薬からの膨張力によって過早に破壊されてしまうのを避けるために、爆轟が急速に達成されねばならない。ゆっくりした点火は時間的分散が広がることを意味し、これは瞬時的雷管および延時的雷管の双方にとって重要である。急速な点火は、圧力上昇を最適化する一層平滑な燃焼面を与えるとも考えられる。これらの要因は上述したNPED型のすべてにおいて決定的に重要である。ＤＤＴ機構においては、推移帯はできるだけ短くなければならず、また飛行板（flying plate）機構においては、供与体装薬室が吹き飛んでバラバラになる以前に、２次爆薬供与体装薬の急速な燃焼、飛行板の剪断および加速が起きねばならない。
本明細書で開示されている組成物は、２次爆薬を急速かつ確実に起爆するために、前述したテルミット酸化還元系を含有する装薬からの高温で持続的な点火パルスを特に利用することにより、上記した応用における２次爆薬のための優れた点火組成物であることが証明されている。
本組成物は上記の目的にとって一般に好適であるが、いくつかの組み合わせは特別な効用を有する。
すでに述べたガスで増強された組成物は、点火すべき２次爆薬が、点火されるべき部分にある程度の多孔性を有する場合、特に有利である。この場合装薬に最も近接する２次爆薬の密度はこれの結晶密度の40〜90％そして望ましくは50〜80％であるのが好ましい。好適な圧縮力は0.1〜50MPaそして望ましくは１〜10MPaでありうる。著しく圧縮された２次爆薬は点火が困難であるが、点火されると一層の反応が急速に起きる。このような装薬の場合はガスに富む点火薬が使用できるが、本組成物は一層自由に選ばれることができる。この目的のために、充填材を含有する組成物そして殊に金属で強化された組成物の使用が特に好ましい。密度が様々な２次爆薬を点火するためにこれらの組成物が使用できるが、装薬に最も近接する２次爆薬の密度が、その結晶密度の60〜100％そして望ましくは70〜99％である場合にこれらの組成物を使用するのが好ましい。好適な圧縮力は10MPaを越えまた望ましくは50MPaを越え、原則として上限はない。点火薬の密度が点火すべき２次爆薬の密度にある程度適合していることそして点火薬が非多孔性の純物たる装薬の百分率として表す場合、低密度装薬および高密度装薬についてそれぞれ上記したのと同じ範囲内に望ましくは入ることが好ましい。上記に示した範囲は示唆的であるにすぎず、また使用する実際の構造および２次爆薬に関して試験されねばならない。
１次爆薬と２次爆薬との区別は周知でありまたこの区別は技術上広く用いられる。実用上の目的からは、１次爆薬は、数立方ミリメートルという爆発性物質の容積内で、たとえこれが閉じ込められていなくても、火焔または伝導的加熱により刺激される時に完全な爆轟に進展させることのできる爆発性物質であると定義することができる。２次爆薬は類似する条件下では爆轟され得ない。一般に２次爆薬は、著しくより多量に存在するか厳重な壁で囲まれた金属容器内に閉じ込められる場合に限って火焔または伝導的加熱によって点火される時、あるいは二つの硬い金属面の間での機械的衝撃に曝されることにより点火される時に爆轟することができる。
１次爆薬の例は雷酸水銀、スチフニン酸鉛、鉛アジドおよびジアゾジニトロフェノールあるいはこれらおよび（または）他の類似の物質の二つもしくはそれ以上の混合物である。
２次爆薬の代表例はペンタエリスリトールテトラナイトレート（PETN）、シクロトリメチレントリニトラミン（RDX）、シクロラトラメチレンテトラニトラミン（HMX）、トリニトロフェニルメチルニトラミン（Tetryl）およびトリニトロトルエン（TNT）あるいはこれらおよび（または）他の類似の物質の二つもしくはそれ以上の混合物である。実用的な別な定義は、感受性PETNと等しいかそれ以下である任意の爆薬を２次爆薬とみなすことである。
本目的に関しては上記の２次爆薬の任意のものが使用できるが、ただし一層容易に点火されそして爆轟する２次爆薬特にPDXおよびPENTまたはこれらの混合物を選択するのが好ましい。
異なる起爆エレメントの部分は異なる２次爆薬を含んでよい。エレメントが爆燃区画と爆轟区画とに大まかに分けられるとし、ただし推移点の精細な位置は変ってよくまた区画の区分がエレメントの何らかの物理的構造に対応する必要がないものとすると、少なくとも爆燃区画においては一層容易に点火されそして爆轟する爆薬を使用するのが好ましい一方、爆轟区画内の爆薬は一層自由に選定されてよい。
２次爆薬は純粋な結晶の形で使用でき、顆粒化されることができまた添加剤を含有できる。圧縮密度がより大きい場合、結晶性の爆薬が好ましい一方、密度がより小さくそして多孔性である装薬については顆粒化された物質が好ましい。本組成物は何らかの添加剤なしで２次爆薬を点火できるが、所望なら例えば上記した明細書US 5,385,098に従って添加剤が使用されてよい。
２次爆薬は、例えば、より大きい装薬での最も均一なしで密度については少しずつ、またはより小さい装薬については１段操作で嵩密度より大きい密度まで一般に圧縮され、あるいは密度勾配をつくるために圧縮され、それぞれの装薬内で反応の向きに望ましくは増大する密度は、逆の向きに圧縮することにより得るのが好適である。
本発明の点火機構では、推移区画と爆轟区画における２次爆薬の物理的区分は何ら必要でないが、何らかの閉じ込め物なしで、あるいは慣用の雷管シェルとは別な何らかの閉じ込め物なしで、慣用の添装薬が装薬によって直接的に起爆せしめられることができる。しかしながら、厚さが0.5〜２mm、望ましくは0.75〜1.5mmの円筒状の鋼製シェルに相当する半径方向の閉じ込めに例えばよって、少なくとも推移区画にある程度の閉じ込めを行うのが好ましい。
好適な配置は、推移区画が添装薬と向き合うように雷管内に挿入されている普通のエレメント内の推移区画に、火工品装薬と爆薬との双方を入れることである。エレメントは一般に円筒状に設計されてよい。
上流端に容易な点火を可能とする穴が望ましくはあいている狭搾部を設けると、一層良い閉じ込めが得られる。別法としてあるいはこれへの追加として、上流端には望ましくは前述した現用の種類の密封用装薬が用意されることができ、この密封用装薬は閉じ込め物の上流に置かれることができるが、閉じ込め物の内部に置かれるのが好ましい。以上の考察から、本組成物は密封用装薬および点火薬の双方として働くことができ、またこの場合ただ一つの装薬が必要なことは明らかである。さもない場合、点火薬は密封用装薬と爆薬との間に置かれる。
下流端の設計は、すでに述べた種類のいずれか一つであっよく、また既知であり、ここに詳述する必要はない爆轟機構について選択したものによって決まる。好ましいNPEDの種類は参照によって本記載に加入されている上記のUS 4,727,808およびUS 5,385,098中に記載のものである。
従って一つの態様においては、点火すべき２次爆薬は、通路を通じて衝撃体円板を、これによって爆轟させるべき２次爆薬に向けて推進するための供与体装薬である。
別の一態様では、点火すべき２次爆薬は爆燃から爆轟への推移連鎖の第一の部分であり、この連鎖は第一の部分よりも密度が小さい第２の爆薬を含む第２の部分をさらに含むのが好ましい。これらの爆轟機構のすべてについて共通であるのは、主として熱を発生する手段を使用することにより、燃焼段階または爆燃段階へと２次爆薬を早い段階で点火することであり、この目的のために本発明の組成物は極めて適している。点火すべき爆薬が装薬からの熱によって作用されるように装薬が爆薬の個所に位置され、また装薬と爆薬との間に直接的な接触があるのが好ましい。現用の装薬について上述した条件は、爆発の点火のためにこのようにして使用される部分に関係する。
装薬は技術上普通に用いられる方法によって調合されることができる。好ましい方法は、装薬の成分を混合し、剪断作用より粉砕作用をより多く与える粉砕機内で混合物を所望の粒子寸法まで粉砕し、このようにして調製した混合物を塊状物へと高圧下で圧密化し、塊状物を粉砕してより小さい粒子からなる粒子を得そして最終的に篩分操作を行い所望の寸法の画分を得ることを包含する。
雷管はそのシェルの閉鎖端で添装薬を別個に圧縮し、続いて本発明の火工品装薬を圧縮するか、上述のエレメントを挿入するかあるいは添装薬の個所に閉じ込めることにより製造されることができる。所望なら、最良の伝火薬と一緒に延時薬が挿入されてよい。シェルの開放端には点火薬手段が置かれ、それがプラグによって密封され、このプラグが衝撃管または導電体のような信号伝達手段によって貫通される。
実施例  １
Alが化学量論的割合に対して２倍量であるAl−Fe2O3点火薬を外径が6.3mmで壁厚が0.8mmである鋼の管内に圧入した。この管の一端は開放しておりまた他端には直径が１mmである穴をもつダイアフラムがあった。点火薬をこのダイアフラム内に圧入した。次いでPETNの４mmの筒状物をダイアフラムに圧入しそして最後にアルミニウムのカップを圧入した。このようなエレメントを100個製造した。次いで、NPED系の２次爆薬の第２の部分を納めた標準的なアルミニウムシェル内にエレメントを圧入した。
試験的シューティングによると、すべての雷管が極めて良好に機能し、またNonel管（3.6mm）の爆燃を含めた作動時間は４ミリ秒以下であることが示された。
次に設計は同じであるが、化学量論的な火工品組成物を有する雷管を100個製造した。試験的シューティングに際して２回の失火があり、この場合PETNは点火されなかった。雷管の作動時間は８〜10ミリ秒まで増大した。
実施例  ２
外径が6.3mmで、壁圧が0.5mmでそして長さが10mmである鋼の管を使用した。この管の一端は開放しておりまた他端には直径が１mmである穴をもつダイアフラムがあった。
このダイアフラムに点火薬として使用するための火工品装薬を圧入し、次いでPETN爆薬を圧入した。
スラグのない三つのタイプの転移組成物、つまりすべての百分率が重量基準であるとしてAl ０％＋Fe2O3 60％のもの；Al 20％＋Bi2O3 80％のものおよびAl 30％＋Cu2O 70％のものを使用した。実験の結果、すべての装薬はPETN２次爆薬を点火するのに大体同一の能力を示した。最良の点火はPETN密度1.3ｇ／m3で得られ、また点火が障害される限界は密度約1.5ｇ／m3にあるということが一般に言える。
実施例  ３
それぞれ、長さが20mmで、内径が３mmでそして内径が３mmであるアルミニウム管の形の20個の起爆エレメント中に、20wt％のTiと80wt％のBi2O3とからなる点火薬を筒状物の高さ５mmとなるまで圧入した。これに隣り合うように密度が1.3ｇ／cm3のPETNの筒状物を押圧した。
同様な方法で20個の起爆エレメントを製造したが、ただし点爆（すなわち20％のTi＋80％のBi2O3）は８wt％のFe2O3も添加剤として含有した。
この実験では、これらの起爆エレメントを納めた40個の雷管はすべて極めて良好に作動し、添装薬の爆轟は定性的であった。
実施例  ４
静電火花への感度に関する、20wt％のTiと80wt％のBi2O3とからなる点火薬に対するFe2O3添加剤の影響を標準的試験方法に従って調査した。
20％のTiと80％のBi2O3との単なる装薬の感度は−0.5mJであった。
この装薬に２〜10wt％のFe2O3を添加すると、装薬の感度はかなりの程度（−２−５mJ）まで減少しまた点火薬の作動性に対する影響は僅少であった。